【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
手ぶれ量を検出する手ぶれ量検出部と、
前記手ぶれ量を含む所定の撮影条件が満たされたか否かを判別する撮影条件判別部と、
前記撮影条件が満たされた場合に、自動的にシャッタを切るオートシャッタモードで撮影処理を行うオートシャッタ動作部と、
前記オートシャッタモード中に前記撮影条件が満たされなくなった場合に、前記オートシャッタモードを解除するオートシャッタ解除部と、
被写体に自動的に焦点を合わせ、レンズを合焦点位置に駆動するオートフォーカス機構部と、
前記オートシャッタモードで撮影処理を行うに先立って、前記レンズの光軸方向の手ぶれ量に基づいて前記合焦点位置を補正し、当該補正後の合焦点位置に前記レンズを駆動させるべく補正制御を行うオートフォーカス補正部と、
前記手ぶれ量が所定のオートフォーカス再決定ぶれ量よりも大きいか否かを判別し、前記手ぶれ量が所定のオートフォーカス再決定ぶれ量よりも大きい場合に、前記オートフォーカス機構部に再度前記レンズを新たな合焦点位置に駆動させるオートフォーカス再設定制御部と、を備え、
前記手ぶれ量が所定のデータ再取得ぶれ量よりも大きいか否かを判別し、前記手ぶれ量が所定のデータ再取得ぶれ量よりも大きい場合に、再度前記手ぶれ量検出部に前記手ぶれ量を再検出させることを特徴とする撮像装置。
【請求項２】
請求項１記載の撮像装置において、
前記手ぶれ量検出部は、ジャイロセンサ備え、当該ジャイロセンサが出力した角速度検出信号に基づいて前記手ぶれ量を検出することを特徴とする撮像装置。
【請求項３】
手ぶれ量に基づいて撮像した画像に対する手ぶれ補正を行う手ぶれ補正機構と、被写体に自動的に焦点を合わせ、レンズを合焦点位置に駆動するオートフォーカス機構部と、を備えた撮像装置の制御方法において、
手ぶれ量を検出する手ぶれ量検出過程と、
前記手ぶれ量を含む所定の撮影条件が満たされたか否かを判別する撮影条件判別過程と、
前記撮影条件が満たされた場合に、自動的にシャッタを切るオートシャッタモードで撮影処理を行うオートシャッタ動作過程と、
前記オートシャッタモード中に前記撮影条件が満たされなくなった場合に、前記オートシャッタモードを解除するオートシャッタ解除過程と、
前記オートシャッタモードで撮影処理を行うに先立って、前記レンズの光軸方向の手ぶれ量に基づいて前記合焦点位置を補正し、当該補正後の合焦点位置に前記レンズを駆動させるべく補正制御を行うオートフォーカス補正過程と、
前記手ぶれ量が所定のオートフォーカス再決定ぶれ量よりも大きいか否かを判別し、前記手ぶれ量が所定のオートフォーカス再決定ぶれ量よりも大きい場合に、前記オートフォーカス機構部に再度前記レンズを新たな合焦点位置に駆動させるオートフォーカス再設定制御過程と、
前記手ぶれ量が所定のデータ再取得ぶれ量よりも大きいか否かを判別し、前記手ぶれ量が所定のデータ再取得ぶれ量よりも大きい場合に、前記手ぶれ量を再検出する手ぶれ量再検出過程と、
を備えたことを特徴とする撮像装置の制御方法。
【請求項４】
手ぶれ量を検出する手ぶれ量検出装置と、検出した手ぶれ量に基づいて撮像した画像に対する手ぶれ補正を行う手ぶれ補正機構と、被写体に自動的に焦点を合わせ、レンズを合焦点位置に駆動するオートフォーカス機構部と、を備えた撮像装置をコンピュータにより制御するための制御プログラムにおいて、
手ぶれ量を検出させ、
前記手ぶれ量を含む所定の撮影条件が満たされたか否かを判別させ、
前記撮影条件が満たされた場合に、自動的にシャッタを切るオートシャッタモードで撮影処理を行わせ、
前記オートシャッタモード中に前記撮影条件が満たされなくなった場合に、前記オートシャッタモードを解除させ、
前記オートシャッタモードで撮影処理を行うに先立って、前記レンズの光軸方向の手ぶれ量に基づいて前記合焦点位置を補正させ、当該補正後の合焦点位置に前記レンズを駆動させるべく補正制御を行わせ、
前記手ぶれ量が所定のオートフォーカス再決定ぶれ量よりも大きいか否かを判別させ、前記手ぶれ量が所定のオートフォーカス再決定ぶれ量よりも大きい場合に、前記オートフォーカス機構部に再度前記レンズを新たな合焦点位置に駆動させ、
前記手ぶれ量が所定のデータ再取得ぶれ量よりも大きいか否かを判別させ、前記手ぶれ量が所定のデータ再取得ぶれ量よりも大きい場合に、前記手ぶれ量を再検出させる、
ことを特徴とする制御プログラム。
【手続補正２】
【補正対象書類名】明細書
【補正対象項目名】０００４
【補正方法】変更
【補正の内容】
【０００４】
上記課題を解決するため、撮像装置は、手ぶれ量を検出する手ぶれ量検出部と、前記手ぶれ量を含む所定の撮影条件が満たされたか否かを判別する撮影条件判別部と、前記撮影条件が満たされた場合に、自動的にシャッタを切るオートシャッタモードで撮影処理を行うオートシャッタ動作部と、前記オートシャッタモード中に前記撮影条件が満たされなくなった場合に、前記オートシャッタモードを解除するオートシャッタ解除部と、被写体に自動的に焦点を合わせ、レンズを合焦点位置に駆動するオートフォーカス機構部と、前記オートシャッタモードで撮影処理を行うに先立って、前記レンズの光軸方向の手ぶれ量に基づいて前記合焦点位置を補正し、当該補正後の合焦点位置に前記レンズを駆動させるべく補正制御を行うオートフォーカス補正部と、前記手ぶれ量が所定のオートフォーカス再決定ぶれ量よりも大きいか否かを判別し、前記手ぶれ量が所定のオートフォーカス再決定ぶれ量よりも大きい場合に、前記オートフォーカス機構部に再度前記レンズを新たな合焦点位置に駆動させるオートフォーカス再設定制御部と、を備え、前記手ぶれ量が所定のデータ再取得ぶれ量よりも大きいか否かを判別し、前記手ぶれ量が所定のデータ再取得ぶれ量よりも大きい場合に、再度前記手ぶれ量検出部に前記手ぶれ量を再検出させることを特徴としている。
上記構成によれば、手ぶれ量検出部は、手ぶれ量を検出し、撮影条件判別部は、手ぶれ量を含む所定の撮影条件が満たされたか否かを判別する。
これらの結果、オートシャッタ動作部は、撮影条件が満たされた場合に、自動的にシャッタを切るオートシャッタモードで撮影処理を行い、オートシャッタ解除部は、オートシャッタモード中に前記撮影条件が満たされなくなった場合に、オートシャッタモードを解除する。
オートフォーカス機構部は、被写体に自動的に焦点を合わせ、レンズを合焦点位置に駆動する。
オートフォーカス補正部は、オートシャッタモードで撮影処理を行うに先立って、レンズの光軸方向の手ぶれ量に基づいて前記合焦点位置を補正し、当該補正後の合焦点位置にレンズを駆動させるべく補正制御を行う。
オートフォーカス再設定制御部は、手ぶれ量が所定のオートフォーカス再決定ぶれ量よりも大きいか否かを判別し、手ぶれ量が所定のオートフォーカス再決定ぶれ量よりも大きい場合に、オートフォーカス機構部に再度前記レンズを新たな合焦点位置に駆動させる。
そして、手ぶれ量が所定のデータ再取得ぶれ量よりも大きいか否かを判別し、手ぶれ量が所定のデータ再取得ぶれ量よりも大きい場合に、再度手ぶれ量検出部に手ぶれ量を再検出させる。
この場合において、前記手ぶれ量検出部は、ジャイロセンサ備え、当該ジャイロセンサが出力した角速度検出信号に基づいて前記手ぶれ量を検出するようにしてもよい。
また、手ぶれ量に基づいて撮像した画像に対する手ぶれ補正を行う手ぶれ補正機構と、被写体に自動的に焦点を合わせ、レンズを合焦点位置に駆動するオートフォーカス機構部と、を備えた撮像装置の制御方法において、手ぶれ量を検出する手ぶれ量検出過程と、前記手ぶれ量を含む所定の撮影条件が満たされたか否かを判別する撮影条件判別過程と、前記撮影条件が満たされた場合に、自動的にシャッタを切るオートシャッタモードで撮影処理を行うオートシャッタ動作過程と、前記オートシャッタモード中に前記撮影条件が満たされなくなった場合に、前記オートシャッタモードを解除するオートシャッタ解除過程と、前記オートシャッタモードで撮影処理を行うに先立って、前記レンズの光軸方向の手ぶれ量に基づいて前記合焦点位置を補正し、当該補正後の合焦点位置に前記レンズを駆動させるべく補正制御を行うオートフォーカス補正過程と、前記手ぶれ量が所定のオートフォーカス再決定ぶれ量よりも大きいか否かを判別し、前記手ぶれ量が所定のオートフォーカス再決定ぶれ量よりも大きい場合に、前記オートフォーカス機構部に再度前記レンズを新たな合焦点位置に駆動させるオートフォーカス再設定制御過程と、前記手ぶれ量が所定のデータ再取得ぶれ量よりも大きいか否かを判別し、前記手ぶれ量が所定のデータ再取得ぶれ量よりも大きい場合に、前記手ぶれ量を再検出する手ぶれ量再検出過程と、を備えたことを特徴としている。
また、手ぶれ量を検出する手ぶれ量検出装置と、検出した手ぶれ量に基づいて撮像した画像に対する手ぶれ補正を行う手ぶれ補正機構と、被写体に自動的に焦点を合わせ、レンズを合焦点位置に駆動するオートフォーカス機構部と、を備えた撮像装置をコンピュータにより制御するための制御プログラムにおいて、手ぶれ量を検出させ、前記手ぶれ量を含む所定の撮影条件が満たされたか否かを判別させ、前記撮影条件が満たされた場合に、自動的にシャッタを切るオートシャッタモードで撮影処理を行わせ、前記オートシャッタモード中に前記撮影条件が満たされなくなった場合に、前記オートシャッタモードを解除させ、前記オートシャッタモードで撮影処理を行うに先立って、前記レンズの光軸方向の手ぶれ量に基づいて前記合焦点位置を補正させ、当該補正後の合焦点位置に前記レンズを駆動させるべく補正制御を行わせ、前記手ぶれ量が所定のオートフォーカス再決定ぶれ量よりも大きいか否かを判別させ、前記手ぶれ量が所定のオートフォーカス再決定ぶれ量よりも大きい場合に、前記オートフォーカス機構部に再度前記レンズを新たな合焦点位置に駆動させ、前記手ぶれ量が所定のデータ再取得ぶれ量よりも大きいか否かを判別させ、前記手ぶれ量が所定のデータ再取得ぶれ量よりも大きい場合に、前記手ぶれ量を再検出させる、ことを特徴としている。